(57)【要約】【課題】建屋内から投入ホッパまで円滑に重い玄米袋を持ち込み、さらに投入ホッパの投入口にまで玄米袋を持ち上げることができる構成を備えたコイン精米機を提供すること。【解決手段】利用者が入る客室１５側に機械室１７に配置した投入ホッパ５の投入口を臨ませ、投入ホッパ５の正面側の客室１５内に載置板１と該載置板１を昇降させる昇降装置２を配置し、物品検出センサ１４が載置板１に玄米袋６などが載置されていることを検出するとはじめて、昇降装置２が載置板１を上昇させる制御装置を備えているコイン精米機であり、載置板１と共に玄米袋６等の物品が上昇するので投入ホッパ５に玄米などを投入し易くなる。【選択図】図２
2014004501.tif 000002
【特許請求の範囲】
【請求項１】
建屋内に利用者が入る客室（１５）と精米機（２３）を備えた機械室（１７）を設け、
該客室（１５）と機械室（１７）を仕切る仕切壁（１６）を設け、
客室（１５）側に機械室（１７）に配置した投入ホッパ（５）の投入口を臨ませ、
投入ホッパ（５）の正面側の客室（１５）内に載置板（１）と該載置板（１）を昇降させる昇降装置（２）を配置し、
載置板（１）に物品が載置されていることを検出する物品検出手段（１４）を設け、
該物品検出手段（１４）が、載置板（１）上に物品が載置されていることを検出することを条件に、載置板（１）を昇降装置（２）で上昇可能とする制御装置を備えたことを特徴とするコイン精米機。
【請求項２】
昇降装置（２）の近傍に利用者の存在の有無を検知する人検知センサ（１１）を設け、
人検知センサ（１１）が昇降装置（２）の近傍に利用者が居ることを検知すると、物品検出手段（１４）が載置板（１）上に物品（６）が載置されていることを検出しても、昇降装置（２）が上昇しない制御機構を制御装置が有することを特徴とする請求項１記載のコイン精米機。
【請求項３】
昇降装置（２）には載置板（１）を手動で昇降させる手動昇降スイッチ（１３）を設け、
手動昇降スイッチ（１３）を仕切壁（１６）に面して設けた操作盤（２１）又はその近傍に設けたことを特徴とする請求項１又は２記載のコイン精米機。
【請求項４】
投入ホッパ（５）内に穀粒が存在するかどうかを検出する穀粒検出手段（２６）と、該穀粒検出手段（２６）が投入ホッパ（５）内に穀粒が無くなったことを検出してからの経過時間を計測する経過時間計測手段を設け、
該経過時間計測手段での経過時間が所定時間経過するか、また人検知センサ（１１）が人を検知しなくなると、制御装置が精米作業が終了したと判断する判断機構を備え、該制御装置が精米作業の終了を判断すると、制御装置は昇降装置（２）の載置板（１）を下降させる制御構成を備えたことを特徴とする請求項１ないし３のいずれかに記載のコイン精米機。
【発明の詳細な説明】
【技術分野】
【０００１】
本発明は、利用者の持込み玄米を精米処理するコイン精米機に関する。
【背景技術】
【０００２】
玄米投入口の前側で重い玄米袋を持ち上げて玄米投入ホッパへの玄米投入を行い易くしたコイン精米機が知られている。
【先行技術文献】
【特許文献】
【０００３】
【特許文献１】特開２０１０−２７４１９６号公報
【発明の概要】
【発明が解決しようとする課題】
【０００４】
前記特許文献１に記載のコイン精米機では投入ホッパの投入口を開閉する投入シャッタを利用して玄米袋を持ち上げる構成が開示されている。  
しかし建屋内から投入ホッパまで円滑に重い玄米袋を持ち込むことが容易ではなかった。  
本発明の課題は、建屋内から投入ホッパまで円滑に重い玄米袋を持ち込み、さらに投入ホッパの投入口にまで玄米袋を持ち上げることができる構成を備えたコイン精米機を提供することである。
【課題を解決するための手段】
【０００５】
上記課題を解決するために、本発明は次の解決手段を用いる。  
請求項１記載の発明は、建屋内に利用者が入る客室（１５）と精米機（２３）を備えた機械室（１７）を設け、該客室（１５）と機械室（１７）を仕切る仕切壁（１６）を設け、客室（１５）側に機械室（１７）に配置した投入ホッパ（５）の投入口を臨ませ、投入ホッパ（５）の正面側の客室（１５）内に載置板（１）と該載置板（１）を昇降させる昇降装置（２）を配置し、載置板（１）に物品（玄米袋（６）など）が載置されていることを検出する物品検出手段（１４）を設け、該物品検出手段（１４）が、載置板（１）上に物品が載置されていることを検出することを条件に、載置板（１）を昇降装置（２）で上昇可能とする制御装置を備えたことを特徴とするコイン精米機である。
【０００６】
請求項２記載の発明は、昇降装置（２）の近傍に利用者の存在の有無を検知する人検知センサ（１１）を設け、人検知センサ（１１）が昇降装置（２）の近傍に利用者が居ることを検知すると、物品検出手段（１４）が載置板（１）上に物品（６）が載置されていることを検出しても、昇降装置（２）が上昇しない制御機構を制御装置が有することを特徴とする請求項１記載のコイン精米機である。
【０００７】
請求項３記載の発明は、昇降装置（２）には載置板（１）を手動で昇降させる手動昇降スイッチ（１３）を設け、手動昇降スイッチ（１３）を仕切壁（１６）に面して設けた操作盤（２１）又はその近傍に設けたことを特徴とする請求項１又は２記載のコイン精米機である。
【０００８】
請求項４記載の発明は、投入ホッパ（５）内に穀粒が存在するかどうかを検出する穀粒検出手段（２６）と、該穀粒検出手段（２６）が投入ホッパ（５）内に穀粒が無くなったことを検出してからの経過時間を計測する経過時間計測手段を設け、該経過時間計測手段での経過時間が所定時間経過するか、また人検知センサ（１１）が人を検知しなくなると、制御装置が精米作業が終了したと判断する判断機構を備え、該制御装置が精米作業の終了を判断すると、制御装置は昇降装置（２）の載置板（１）を下降させる制御構成を備えたことを特徴とする請求項１ないし３のいずれかに記載のコイン精米機である。
【発明の効果】
【０００９】
請求項１記載の発明によれば、載置板１上に載置した玄米袋６などの物品を昇降装置２により載置板１と共に上昇させることができるので玄米袋６等の物品を投入ホッパ５に投入し易くなる。また、物品検出手段１４が、載置板１の上に玄米袋６などの物品が載置されていることを検出してはじめて昇降装置２を載置板１と共に上昇させるので、載置板１が誤操作される心配がない。  
なお、前記物品検出手段１４が、載置板１上に玄米袋６などの物品が載置されていることを検出してはじめて昇降装置２を載置板と共に上昇させる機構は、制御装置による自動制御だけなく、手動で行う場合もある。
【００１０】
請求項２記載の発明によれば、請求項１記載の発明の効果に加えて、人検知センサ１１が昇降装置２の近傍に利用者が居ることを検知すると、物品検出手段１４が載置板１の上に玄米袋６などの物品が載置されていることを検出しても昇降装置２が上昇しないので、利用者の安全を図ることができる。
【００１１】
請求項３記載の発明によれば、請求項１、２記載の発明の効果に加えて、手動昇降スイッチ１３が仕切壁１６に面して設けた操作盤２１又はその近傍にあり、昇降装置２で上下動をする載置板１から離れているため手動昇降スイッチ１３の操作が安全に行える。
【００１２】
請求項４記載の発明によれば、請求項１ないし３のいずれかに記載の発明の効果に加えて、該制御装置が精米作業の終了を判断すると、昇降装置２の載置板１が下降するので、次の利用者がコイン精米機を利用するときには載置板１をはじめ、コイン精米機を構成する作動装置は初期位置に戻っているので、使い勝手が良い。
【図面の簡単な説明】
【００１３】
【図１】本発明の一実施例のコイン精米機の正面図を示す。
【図２】図１のコイン精米機の載置板と該載置板を昇降させる昇降装置を配置したコイン精米機の客室と投入ホッパの配置関係を示す要部側面図を示し（図２（ａ））、図２（ａ）の位置から載置板を上昇させて袋内の玄米を投入ホッパ内に移す高さまで載置板を上昇させた様子を示すコイン精米機の側面から見た概略図（図２（ｂ））を示す。
【図３】本発明の一実施例の天井壁を取り除いた状態のコイン精米機の平面図を示す。
【図４】本発明の一実施例のコイン精米機内部の機械室内の構成を作業の流れに沿って開示した構成を示す。
【図５】本発明の一実施例の投入ホッパに玄米袋から玄米を容易に移すことができる一実施例の構成を示す図である。
【図６】本発明の一実施例の精米制御のフローチャートである。
【発明を実施するための形態】
【００１４】
以下、図面を参照しながら本発明のコイン精米機の一実施例についてその構成と動作を説明する。  
図１は、本発明の一実施例のコイン精米機の正面図であり、図２（ａ）は図１のコイン精米機の載置板１と該載置板１を昇降させる昇降装置２を配置した客室１５と投入ホッパ５と石抜用昇降機１９を配置した機械室１７をコイン精米機の側面から見た要部側面図であり、図２（ｂ）は図２（ａ）の位置から載置板１を上昇させて玄米袋６内の玄米を投入ホッパ５内に移す高さまで載置板１を上昇させた様子を示すコイン精米機の側面から見た概略図である。
【００１５】
図２に示すように昇降装置２の載置板１が上下動する位置の後方に投入ホッパ５が配置される。また、載置板１は初期位置では昇降装置２の底部、すなわち客室１５の床面に配置されていて、昇降装置２を投入ホッパ５の正面側に沿って昇降自在にした構成である。また初期位置にある載置板１には玄米袋６を載せた台車７を載置可能であるので、該台車７ごと載置板１に載せて昇降装置２を適宜位置まで上昇させて、玄米袋６を開き投入ホッパ５に玄米袋６内の玄米を容易に投入できる構成になっている。
【００１６】
図１に示すようにコイン精米機の中央部上方位置の仕切壁１６には人感センサ１１が配置されており、コイン精米機の中央部中心位置には操作盤２１が設けられ、操作盤２１には、精米の程度を数段階の適宜の段階に選択できる複数の白度選択ボタン１２が配置される。操作盤２１の近傍位置には昇降装置２の昇降スイッチ１３が配置されている。
【００１７】
図３には天井壁を取り除いた状態のコイン精米機の平面図を示す。建屋内には、利用者が入る客室１５と精米機２３を備えた機械室１７を仕切る仕切壁１６を設け、コイン精米機の正面側には客室１５があり、正面側から見て左側壁部には昇降装置２が配置され、該昇降装置２より客室１５の内側には載置板１が配置されている。従って、利用者が客室１５内で台車７に載せた玄米袋６を図２（ａ）に示す載置板１に移し、その後、図２（ｂ）に示すように載置板１を上昇させて玄米袋６内の玄米を投入ホッパ５内に移す高さまで載置板１を上昇させる。
【００１８】
なお、客室１５内で台車７が仕切壁１６に衝突するのを防ぐために台車ストッパ３０を客室側の基部に配置しておくことが望ましい。  
このように３０〜４０ｋｇの玄米袋６であっても、容易に投入ホッパ５の開口部に玄米袋６を上昇させて、精米処理を開始できるのでハンドリング性の高いコイン精米機をして提供できる。
【００１９】
また、図３に示すように客室１５側に投入ホッパ５の投入口を臨ませ、投入ホッパ５の正面側に載置板１を昇降させる昇降装置２を設け、載置板１に玄米袋６又は台車７が載置されていることを検出する物品検出センサ１４を設け、該物品検出センサ１４が、載置板１上に玄米袋６又は台車７が載置されていることを検出すると、昇降装置２が載置板１を上昇させる制御装置（図示せず）を備えている。こうして載置板１上に載置した玄米袋６を昇降装置２により載置板１と共に上昇させることができるので玄米袋６を投入ホッパ５に投入し易くなる。
【００２０】
また、物品検出センサ１４が、載置板１の上に玄米袋６又は玄米袋６を積んだ台車７が載置されていることを検出して、はじめて昇降装置２を載置板１と共に上昇させるので、載置板１が誤操作される心配がない。
【００２１】
なお、前記物品検出センサ１４が、載置板１上に玄米袋６が載置されていることを検出して、はじめて昇降装置２を載置板１と共に上昇させる機構は、制御装置による自動制御でも良いし、操作盤２１の又はその近傍に設ける手動昇降スイッチで操作しても良い。
【００２２】
また、図１に示すように昇降装置２の近傍に利用者の存在の有無を検知する人検知センサ１１を設け、該人検知センサ１１が昇降装置２の近傍に利用者が居ることを検知すると、物品検出センサ１４が載置板１上に玄米袋６が載置されていることを検出しても、昇降装置２が上昇しない制御機構を制御装置が有するので、人検知センサ１１が昇降装置２の近傍に利用者が居ることを検知すると、物品検出センサ１４が載置板１の上に玄米袋６又は玄米袋６を積んだ台車７が載置されていることを検出しても昇降装置２が上昇しないので、利用者の安全を図ることができる。
【００２３】
また、物品検出センサ１４が載置板１上に玄米袋６が載置されていることを検出しても昇降装置２を上昇させない制御を実行中は、コイン精米機に別途設けた報知装置（図示せず）を用いて、音声などで利用者に知らせる構成を採用することが望ましい。  
また、昇降装置２が上昇中に人検知センサ１１が昇降装置２の近傍に利用者が居ることを検知すると、昇降動作中の昇降装置２の作動を停止させる機構を設けても良い。
【００２４】
さらに、昇降装置２には載置板１を手動で昇降させる手動昇降スイッチ１３を設け、該手動昇降スイッチ１３を、仕切壁１６に面して設けた操作盤２１又はその近傍に設けており、昇降装置２で上下動をする載置板１から離れているため手動昇降スイッチ１３の操作が安全に行える。
【００２５】
なお、物品検出センサ１４が載置板１上に玄米袋６又は玄米袋６を積んだ台車７が載置されていることを検出しても昇降装置２を上昇させない制御を実行中は、コイン精米機に別途設けた報知装置を用いて、音声などで利用者に知らせる構成を採用することが望ましい。
【００２６】
さらに、投入ホッパ５内に穀粒が存在するかどうかを検出する穀粒センサ２６（図４）と、該穀粒センサ２６が投入ホッパ５内に穀粒が無くなったことを検出してからの経過時間を計測する経過時間計測手段（図示せず）を設け、該経過時間計測手段での経過時間が所定時間経過するか、また人検知センサ１１が人を検知しなくなると、制御装置が精米作業が終了したと判断する判断機構を備え、該制御装置が精米作業の終了を判断すると、制御装置は昇降装置２の載置板１を下降させる制御構成を備える。
【００２７】
このため制御装置が精米作業の終了を判断すると、昇降装置２の載置板１が下降し、次の利用者がコイン精米機を利用するときには載置板１をはじめ、コイン精米機を構成する作動装置は初期位置に戻っているので、使い勝手が良い。  
さらに投入ホッパ５の投入口を客室１５の左右一側に設けたので、昇降装置２は客室１５の側壁に沿う位置に設けることで利用者の客室１５内の移動を阻害しない。
【００２８】
また、図４にはコイン精米機内部の精米装置２３の構成を作業の流れに沿って開示した構成を示す。  
所定高さに上げた載置板１上の玄米袋６から投入ホッパ５に玄米を移す。次に、利用者が料金投入口３１に料金を投入し、投入ホッパ５に持参玄米を投入し、白度選択ボタン１２で所望の精白度を選択すると、精米処理運転が開始される。そして、投入ホッパ５に投入した玄米は、ロータリバルブ９（図２）で繰出され石抜用昇降機１９で揚穀する。石抜用昇降機１９の頂部に揚穀された玄米を石抜機２０に移し、該石抜機２０で玄米に混じる石抜き処理を行い、石抜機２０で石抜き処理された玄米を精米用昇降機２２で揚穀して、玄米を精米機２３に移す。精米機２３では玄米を精米処理して白米とし、該白米を客室１５側に開口した白米タンク２５に移して精米を完了する。  
なお、投入ホッパ５の底部付近には該ホッパ５内部壁面には玄米の有無を検知できる穀粒センサ２６を配置している。
【００２９】
また、図５には投入ホッパ５に玄米袋から玄米を容易に移すことができる一実施例の構成を示す。玄米袋６の底部を投入ホッパ５の上方のコイン精米機の壁面に取り付けた滑車２８を介してワイヤ２７で吊るしておき、該ワイヤ２７を操作して重い玄米袋６であっても、その開放端から投入ホッパ５に簡単に投入することができる。
【００３０】
また、投入ホッパ５の近傍には放射能測定器のテスター部（図示せず）を取り付けておき、投入ホッパ５に投入前の玄米の放射能測定を可能にしても良い。これは、コイン精米機は不特定の利用者が使用するので、基準以上の放射能が含有される玄米を精米処理するためである。
【００３１】
また、白度選択ボタン１２が押されると昇降装置２が下降する制御構成にしておけば、利用者が次の袋６を継続して投入ホッパ５に投入し易くすることができる。  
また、精米終了が確定したことを投入ホッパ５内の穀粒センサ２６による穀粒検知が無くなったとき、又はコイン不足で精米を終了する場合に前記昇降装置２が下降する制御構成としても良い。
【００３２】
さらに人感センサ１１が人間を検知しなくなると、前記昇降装置２が下降する制御構成を制御装置（図示せず）に設けても良い。この場合は、昇降装置２が自動的に下降する場合に人間は昇降装置２の近傍にいると危ないため、人感センサ１１が人間を検知しなくなると人間に危害が及ぶおそれはないので、この場合には安心して、安全に昇降装置２を自動的に下降させることができる。
【００３３】
上記コイン精米機を用いる精米工程の制御フローチャートを図６に示す。  
本実施の別形態として、利用者が料金投入口３１に料金を投入しないと、物品検出センサ１４が玄米袋６又は台車７を検出しても昇降装置２が昇降しないようにすることで、客室１５での悪戯を防止することもできる。また、物品検出センサ１４を設けず、人検知センサ１１が昇降装置２近傍に利用者がいないことを検出することを条件に、手動昇降スイッチ１３を操作可能にすることができる。
【符号の説明】
【００３４】
１  載置板                            ２  昇降装置
５  投入ホッパ                        ６  玄米袋
７  台車                              ９  ロータリバルブ
１１  人感センサ                      １２  白度選択ボタン
１３  昇降スイッチ                    １４  物品検出手段（センサ）
１５  客室                            １６  仕切壁
１７  機械室                          １８  玄米落下防止板
１９  石抜用昇降機                    ２０  石抜機
２１  操作盤                          ２３  精米機
２２  精米用昇降機                    ２３  精米機
２５  白米タンク                      ２６  穀粒センサ
２７  ワイヤ                          ２８  滑車
３０  台車ストッパ                    ３１  料金投入口
【図１】
2014004501.tif 000003
【図２】
2014004501.tif 000004
【図３】
2014004501.tif 000005
【図４】
2014004501.tif 000006
【図５】
2014004501.tif 000007
【図６】
2014004501.tif 000008